(57)【要約】【課題】本願発明は、洗濯物を干しているときには、洗濯ばさみの動きが規制されずに、自由に動くことができ、洗濯物を干し終えたときには、一度に洗濯ばさみから外して取り込むことができるハンガー式洗濯物干し具を提供することを目的とする。【解決手段】１対の梃棒からなる洗濯ばさみの一方の梃棒に一端を固着した牽引紐を牽引することにより洗濯物の脱離を可能とした複数の牽引式洗濯ばさみを、平行に配設された１対の固定棒を介して前記１対の固定棒の上部に重置された１対の可動棒に等間隔に懸吊し、前記可動棒を前記固定棒に対して垂直方向に離間あるいは水平方向に摺動して前記牽引紐が牽引されて、複数の洗濯物が脱離可能な構成とした。【選択図】図２
2006340947.tif 000002
【特許請求の範囲】
【請求項１】
咬持部および被押圧部を形成する第１の梃棒と第２の梃棒の１対の梃棒からなる洗濯ばさみの前記第１の梃棒の被押圧部に牽引紐の一端が固着され、前記牽引紐の他端は前記第２の梃棒の被押圧部に貫設された第１の貫通孔を貫通し、さらに前記洗濯ばさみ側にラッパ状に開口した捕捉体の底部に貫設された第２の貫通孔を貫通し、
前記牽引紐の他端が牽引されて前記第２の梃棒の被押圧部が前記捕捉体に捕捉され、さらに前記牽引紐の他端が牽引されて前記洗濯ばさみの咬持部が開口する、ことを特徴とする牽引式洗濯ばさみ。
【請求項２】
前記第２の梃棒の被押圧部の前記貫通孔より先端部分は前記捕捉体に嵌合するように先端が細くなった円錐台状となっていて、前記牽引紐は前記捕捉体の中心軸線に添って貫設された第３の貫通孔を貫通している、ことを特徴とする請求項１に記載の牽引式洗濯ばさみ。
【請求項３】
複数の請求項１または請求項２に記載の牽引式洗濯ばさみが平行に配設される１対の固定棒に前記捕捉体が吊着されて懸吊され、前記牽引紐の他端は前記１対の固定棒の上部に重置された１対の可動棒に固着されて、前記可動棒は前記固定棒に対して垂直方向に離間あるいは水平方向に摺動して前記牽引紐が牽引される、ことを特徴とするハンガー式洗濯物干し具。
【請求項４】
１対の前記固定棒および１対の前記可動棒はそれぞれ第１の連結棒および第２の連結棒により連結され該第１の連結棒および該第２の連結棒は平面視において同一位置にあって、
前記第１の連結棒の中間部に立設される垂直棒が前記第２の連結棒の中間部に貫設される挿入孔に貫通されて、前記第２の連結棒は前記垂直棒に沿って摺動自在となし、
前記可動棒は前記固定棒に対して垂直方向に離間して前記牽引紐が牽引される、ことを特徴とする請求項３に記載のハンガー式洗濯物干し具。
【請求項５】
前記１対の前記固定棒および１対の前記可動棒はそれぞれ第１の連結棒および第２の連結棒により連結され、
前記可動棒が前記固定棒に嵌合し前記固定棒に沿って水平方向に摺動して前記牽引紐が牽引される、ことを特徴とする請求項３に記載のハンガー式洗濯物干し具。
【請求項６】
前記１対の前記可動棒は中間部で分割され、
分割された前記可動棒はそれぞれが第３の連結棒で連結され前記固定棒に対して前記固定棒の端部方向に水平に摺動する、ことを特徴とする請求項５に記載のハンガー式洗濯物干し具。
【発明の詳細な説明】
【技術分野】
【０００１】
本願発明は、ハンガー式洗濯物干し具に使用される洗濯ばさみ、およびこの洗濯ばさみ懸吊したハンガー式洗濯物干し具に係り、さらに詳しくは、干し終えた複数の洗濯物をワンタッチで洗濯ばさみから外して取り込むことができるハンガー式洗濯物干し具に関する。
【背景技術】
【０００２】
この種のハンガー式洗濯物干し具に関しては、例えば、実開昭６２−１１２５９５号公報、実開平４−４４８９４号公報、特開平７−２５５９９５号公報および実用新案登録第３１０５１４８号公報に開示されている。
【０００３】
図６（ａ）は、実開昭６２−１１２５９５号公報に開示の洗濯物干し器であり、同図６（ａ）は平面図、図６（ｂ）は、同図６（ａ）におけるＢ−Ｂ断面図である。この実開昭６２−１１２５９５号公報に開示のものは、洗濯物干し器１００を、「合成樹脂製等にて洗濯物吊り下げ枠１０１を成型し、吊り下げ枠１０１に洗濯ハサミ１０２の片方を固定し、他の片方にはハサミ開閉コード１０４を取り付ける。この開閉コード１０４の伸縮により洗濯物がワンタッチで取り外しができる」構成としている。なお、図６に示す符号１０３は開閉コード伸縮板である。
【０００４】
また、図７は実開平４−４４８９４号公報に開示の洗濯物乾燥用ハンガーの斜視図である。実開平４−４４８９４号公報に開示のものでは、洗濯物乾燥用ハンガー２００を、「ばね力により洗濯物を二片で挟んで吊るす洗濯ばさみ２０３を本体２１１に複数個取付けるとともに、前記本体２１１を吊るすフック２１２を有する洗濯物乾燥用ハンガー２００において、前記洗濯物はさみ２０３の一方の片２０３ａを前記本体２１１に設け、他方の片を前記本体２１１に回動自在に装着して、この他方の片２１４には回動中心より外れた位置に係合部２０５ｆを設け、総ての洗濯はさみ２０３の係合部２０５ｆにそれぞれ係合する被係合部２１３ａを有する連動操作部材２１３を前記本体２１１に移動自在に装着してなり、この連動操作部材２１３の移動操作により、前記他方の片２１４を回動させて、総ての洗濯はさみ２０３を一斉に開動作させるように」構成している。
【０００５】
そして、図８（ａ）は特開平７−２５５９９５号公報に開示のハンガー式洗濯物干し具であり、同図８（ａ）は、その斜視図、同図８（ｂ）は、同ハンガー式洗濯物干し具に使用される洗濯ばさみの分解構成図である。この実開平４−４４８９４号公報に開示のものは、「開方向へと付勢された１対の操作片部３３２ａ、３３２ｂを押圧操作することで洗濯物３４２を咬持する咬持部３３４ａ、３３４ｂの拡開を自在とした複数個の洗濯ばさみ３３１をハンガー本体部３１１を構成する支杆材３１５の側に配設して形成されており、しかも、前記洗濯ばさみ３３１は、各操作片部３３２ａ、３３２ｂに設けた通孔３３３を介して導入される前記支杆材３１５に遊動自在に保持されているので、一端側の洗濯ばさみ３３１を支杆材３１５に沿わせて他端側の洗濯ばさみ３３１方向へと押し進めて片寄せることで、隣り合う洗濯ばさみ３３１相互がその操作片部３３２ａ、３３２ｂを介して当接するに至り、ついには、操作片部３３２ａ、３３２ｂが閉方向へと加圧されて個々の洗濯ばさみ３３１の咬持部３３４ａ、３３４ｂの側が一斉に拡開して一度に洗濯物３４２を取り外すことができる」構成としたものである。
【０００６】
これら実開昭６２−１１２５９５号公報、実開平４−４４８９４号公報、特開平７−２５５９９５号公報に開示のものは、いずれも洗濯ばさみの開閉操作を棒状体からなる部材を介しておこなう点で共通するものである。
【０００７】
これに対し、前記実用新案登録第３１０５１４８号公報に開示のものは、棒状体の部材ではなく、紐状の部材を使用するものであって、図９は、同実用新案登録第３１０５１４８号公報に開示の「固着式ワンタッチ物干しハンガー」に使用される洗濯ばさみの斜視図である。この洗濯ばさみ４００は、固着挟み片４０２と開動挟み片４０３からなり、固着挟み片側面４０４が固着挟み片４０２の上部に固着されている。そして、図示外の枠板の側面に、固着挟み片側面４０４を介して固着挟み片４０２が連続して固着されている。連設された固着挟み片４０２と開動挟み片４０３には通し孔４０５が穿設され、この通し孔４０５、４０５、・・・に引き線４０６が貫通していて、開動挟み片４０３の外側の引き線４０６には係止リング４０７が固着されており、ここで、引き線４０６を牽引すると、係止リング４０７、４０７、・・・が、それぞれ開動挟み片４０３を押圧することにより、開動挟み片４０３が係止片４０８に係止されて、複数の洗濯物をまとめて取り外すことができるようにしたものである。
【特許文献１】実開昭６２−１１２５９５号公報
【特許文献２】実開平４−４４８９４号公報
【特許文献３】特開平７−２５５９９５号公報
【特許文献４】実用新案登録第３１０５１４８号公報
【発明の開示】
【発明が解決しようとする課題】
【０００８】
しかしながら、実開昭６２−１１２５９５号公報に開示のものは、吊り下げ枠１０１に洗濯ハサミ１０２の片方を固定しているので、吊り下げ枠１０１に対して直交する方向に洗濯物が風に煽られる場合には、洗濯ハサミ１０２の片方が断裂する虞が生ずる。また、洗濯ハサミ１０２の咬持方向は吊り下げ枠１０１に対して平行となっているので、吊り下げ枠１０１、１０１に洗濯物を架け渡す場合には、洗濯物の咬持部分を折り曲げる必要がある。さらに、洗濯ハサミ１０２を固定する吊り下げ枠１０１は２列に限られる。
【０００９】
また、実開平４−４４８９４号公報に開示のものは、洗濯物はさみ２０３が本体２１１に固着されているため、洗濯物はさみ２０３の動きが制限されて、本体２１１に対して直交する方向に洗濯物が風に煽られる場合には、洗濯物はさみ２０３が断裂しやすい。そして、洗濯物はさみ２０３の一方の片２２１は本体２１１に固着され、他方の片２１４は係合部２０５ｆを介して連動操作部材２２３に固着されているため、洗濯物はさみ２０３の押圧部を押圧して洗濯物を咬持させる場合には、他の洗濯物はさみ２０３の咬持部も開口する。そのため、既に洗濯物はさみ２０３に咬持させた洗濯物が洗濯物乾燥用ハンガー２００から外れてしまい、すべての洗濯物を洗濯物乾燥用ハンガー２００に取り付けるのに手間隙が掛かってしまう。さらに、実開昭６２−１１２５９５号公報に開示のものと同様に、洗濯物はさみ２０３を固定する本体２１１は２列に限られる。
【００１０】
そして、特開平７−２５５９９５号公報に開示のものは、複数個の洗濯ばさみ３３１をハンガー本体部３３１を構成する支杆材３１５に遊動自在に保持されている構造としているので、洗濯ばさみ３３１は支杆材３１５に直交する方向には自在に動くことはできるが、支杆材３１５に並行する方向の動きは規制されるため、洗濯ばさみ３３１の操作片部３３２が損傷しやすい。そして、当該ハンガー式洗濯物干し具は、連続して懸垂された洗濯ばさみ３３１の操作片部３３２ａ、３３２ｂが互いに筒状スペーサ３２５を介して当接することによりその効果を発揮するものであるから、連続して懸垂された洗濯ばさみ３３１が１つでも損傷した場合には、その効果が失われてしまうことになる。また、取手部３２４、３２４がそれぞれ独立して作用するため、すべての洗濯物を落下させるためには取手部３２４、３２４をそれぞれ引き寄せるという２アクションが必要になる。
【００１１】
さらに、実用新案登録第３１０５１４８号公報に開示のものは、固着挟み片４０２が枠板の側面に固着されているため、洗濯物を咬持させるために被押圧部を押圧する場合に、その方向が規制されるので、洗濯物を咬持させることに手間隙が掛かるばかりでなく、洗濯物を干しているときの洗濯ばさみ４００の動きが規制されることから、洗濯ばさみ４００が損傷しやすい。さらに、複数の洗濯物をまとめて取り外す場合に、開動挟み片４０２が係止片４０８に係止されるから、その後にこの係止状態を解除するためには、個々に手指でもって解除する必要があり、手間を要することになる。
【００１２】
そこで、本願発明は、洗濯物を干す前には、洗濯物を簡単に取り付けられ、洗濯物を干しているときには、洗濯ばさみの動きが規制されずに自由に動くことができ、洗濯物を干し終えたときには、一度に洗濯ばさみから外して取り込むことができる、ハンガー式洗濯物干し具を提供することにある。
【課題を解決するための手段】
【００１３】
本願請求項１に係る牽引式洗濯ばさみは、咬持部および被押圧部を形成する第１の梃棒と第２の梃棒の１対の梃棒からなる洗濯ばさみの前記第１の梃棒の被押圧部に牽引紐の一端が固着され、前記牽引紐の他端は前記第２の梃棒の被押圧部に貫設された第１の貫通孔を貫通し、さらに前記洗濯ばさみ側にラッパ状に開口した捕捉体の底部に貫設された第２の貫通孔を貫通し、前記牽引紐の他端が牽引されて前記第２の梃棒の被押圧部が前記捕捉体に捕捉され、さらに前記牽引紐の他端が牽引されて前記洗濯ばさみの咬持部が開口する、ことを特徴としている。
また、本願請求項２に係る牽引式洗濯ばさみは、請求項１に記載の牽引式洗濯ばさみであって、前記第２の梃棒の被押圧部の前記貫通孔より先端部分は前記捕捉体に嵌合するように先端が細くなった円錐台状となっていて、前記牽引紐は前記捕捉体の中心軸線に添って貫設された第３の貫通孔を貫通している、ことを特徴としている。
そして、本願請求項３に係るハンガー式洗濯物干し具は、複数の請求項１または請求項２に記載の牽引式洗濯ばさみが平行に配設される１対の固定棒に前記捕捉体が吊着されて懸吊され、前記牽引紐の他端は前記１対の固定棒の上部に重置された１対の可動棒に固着されて、前記可動棒は前記固定棒に対して垂直方向に離間あるいは水平方向に摺動して前記牽引紐が牽引される、ことを特徴としている。
さらに、本願請求項４に係るハンガー式洗濯物干し具は、請求項３に記載のハンガー式洗濯物干し具であって、１対の前記固定棒および１対の前記可動棒はそれぞれ第１の連結棒および第２の連結棒により連結され該第１の連結棒および該第２の連結棒は平面視において同一位置にあって、前記第１の連結棒の中間部に立設される垂直棒が前記第２の連結棒の中間部に貫設される挿入孔に貫通されて、前記第２の連結棒は前記垂直棒に沿って摺動自在となし、前記可動棒は前記固定棒に対して垂直方向に離間して前記牽引紐が牽引される、ことを特徴としている。
また、本願請求項５に係るハンガー式洗濯物干し具は、請求項３に記載のハンガー式洗濯物干し具であって、前記１対の前記固定棒および１対の前記可動棒はそれぞれ第１の連結棒および第２の連結棒により連結され、前記可動棒が前記固定棒に嵌合し前記固定棒に沿って水平方向に摺動して前記牽引紐が牽引される、ことを特徴としている。
さらに、本願請求項６に係るハンガー式洗濯物干し具は、請求項５に記載のハンガー式洗濯物干し具であって、前記１対の前記可動棒は中間部で分割され、
分割された前記可動棒はそれぞれが第３の連結棒で連結され前記固定棒に対して前記固定棒の端部方向に水平に摺動する、ことを特徴としている。
【発明の効果】
【００１４】
本願請求項１に係る牽引式洗濯ばさみは、一端が第１の梃棒の被押圧部に固着された牽引紐が、第２の梃棒の第１の貫通孔を貫通し、さらにラッパ状の捕捉体を貫通していて、牽引紐の他端を牽引することにより、第２の梃棒の被押圧部が捕捉体に捕捉され、さらに牽引することにより、洗濯ばさみの咬持部が開口するようになっている。被押圧部は開方向に付勢されているので、牽引紐を所定の力で牽引すれば、咬持部が開口し、所定の力を緩めれば、咬持部が閉口する。そのため、係止用の部材が不要であり、牽引紐を牽引する力加減により咬持部の開閉操作が可能である。なお、牽引紐を、たとえば合成樹脂製のような耐腐食性・耐摩耗性のあるものを使用することにより、腐食や磨耗による劣化を防ぐことができるので、枠材に懸吊した場合には枠材から洗濯ばさみが脱落することがなくなる。
【００１５】
本願請求項２に係る牽引式洗濯ばさみは、第２の梃棒の被押圧部の先端部分が、ラッパ状の捕捉体に見合った形状となっている。このため、第２の梃棒の被押圧部の先端部分が捕捉体に捕捉されると、第２の梃棒の被押圧部の先端部分は捕捉体に対して遊びのない状態で固定されるから、牽引紐を牽引する力は、有効に第１の梃棒の被押圧部に伝えられ、無理な力を加えずとも咬持部が開口する。
【００１６】
本願請求項３に係るハンガー式洗濯物干し具は、１対の固定棒に複数の捕捉体が吊着されて懸吊され、さらに牽引紐の他端は前記１対の固定棒の上部に重置された１対の可動棒に固着されていて、この記可動棒を前記の固定棒に対して離間あるいは摺動させることにより前記牽引紐が牽引されるので、複数の牽引式洗濯ばさみの咬持部の開閉操作が、同時にワンタッチで可能となる。また、牽引式洗濯ばさみは牽引紐を介して固定棒に懸吊されているため、一つの牽引式洗濯ばさみの押圧操作は、他の牽引式洗濯ばさみの開閉動作に連動することはなく、すべての洗濯物をハンガー式洗濯物干し具に簡単に取り付けられる。さらに、牽引式洗濯ばさみは、牽引紐によってハンガー式洗濯物干し具に懸吊されているので、洗濯物を干している最中は、牽引式洗濯ばさみの動きが規制されることがなく自由に動くことができる。このため、牽引式洗濯ばさみには無理な力が加わらず、いわば柔構造となっていて内応力が発生しないため、牽引式洗濯ばさみの損傷を防ぐことができる。
【００１７】
なお、本願請求項に係る発明では、固定棒を１対としているが、３列以上に併設することもできる。また、１対の固定棒に吊着される捕捉体は、固定棒に突設されても良く、あるいは固定棒に内設されても良い。後述する実施例２および実施例３においては、捕捉体を固定棒に突設させている。
【００１８】
可動棒を固定棒に対して垂直方向に離間させる方法としては、
（１）１対の可動棒および１対の固定棒をそれぞれ連結棒で連結し、それぞれの連結棒を直接的に両手で持って上下方向に離間させる方法、
（２）１対の可動棒および１対の固定棒をそれぞれ連結棒で連結し、それぞれの連結棒から垂直棒を立設し、当該垂直棒を介して１対の固定棒に対し１対の可動棒を引き上げて離間させる方法、
（３）１対の可動棒および１対の固定棒をそれぞれ連結棒で連結し、１対の固定棒の連結棒にその其端部を固定し立設した垂直棒に雄螺子を螺刻し、１対の可動棒の連結棒から回動自在に立設される前記垂直棒を囲繞する垂直筒の内部に前記の雄螺子に螺合する雌螺子が螺刻し、前記の垂直筒を回動させることにより、１対の固定棒に対し１対の可動棒を上下させる方法、
（４）１対の可動棒の両端部に紐を固着し、その紐の他端を牽引することにより、１対の固定棒に対し１対の可動棒を引き上げる方法、
（５）１対の可動棒および１対の固定棒をそれぞれ連結棒で連結し、１対の固定棒の連結棒にその其端部を固定し立設した垂直棒に帯状の平歯車を刻設し、１対の可動棒の連結棒から立設される前記垂直棒を囲繞する垂直筒に内蔵された前記の帯状の平歯車に嵌合する平歯車を回動させることにより、１対の固定棒に対し１対の可動棒を引き上げて離間させる方法、
（６）可動棒と固定棒との間に楕円形の円盤を回動自在に挟装し、楕円形の円盤を回動させることにより、１対の可動棒を１対の固定棒に対して楕円形の長径と短径の差分に相当する距離分だけ離間させる方法、
（７）１対の可動棒を連結棒で連結し、連結位置に対応する固定棒の位置において連結棒に並行する梃子棒の中間部を軸支させ、前記梃子棒の一端を摺動自在に連結棒に嵌着させ、前記梃子棒の他端を押下させて連結棒を押し上げることにより、可動棒を固定棒に対して離間させる方法、
があるが、請求項４に記載の発明および後述する実施例２においては、(２)の方法に拠っている。
【００１９】
また、可動棒を固定棒に対して水平方向に摺動させる方法としては、
（８）固定棒および可動棒を互いに嵌合させて固定棒に対する可動棒の上下方向の動きを規制し、１対の可動棒および１対の固定棒をそれぞれ連結棒で連結して、それぞれの連結棒を両手で持って左右方向に摺動させる方法、
（９）上記（８）の方法において、可動棒を中間部で分割し、それぞれの可動棒を連結棒で連結して当該を連結棒を両手で持って左右方向に摺動させる方法、
があるが、請求項５に記載の発明においては、(８)の方法に拠っていて、請求項６に記載の発明および後述する実施例３においては、(９)の方法に拠っている。
【００２０】
本願請求項４に係るハンガー式洗濯物干し具は、１対の固定棒および相互に連結する第１の連結棒に、平面視が同形の可動棒が重なるように載置されていて、第１の連結棒の中間部に立設される垂直棒を介して可動棒が固定棒に対して上下動するようになっている。このため、可動棒を手指で上方に移動させることにより複数の牽引式洗濯挟の咬持部が開口し、牽引式洗濯ばさみの被押圧部は開方向に付勢されているから、手指を緩めれば、可動棒は下方に自然に戻ることになる。
【００２１】
本願請求項５に係るハンガー式洗濯物干し具は、可動棒が固定棒に嵌合して、固定棒に沿って摺動して牽引紐が牽引されるようになっている。このため、第１の連結棒と第２の連結棒とを手指で把持して左右に引けば、複数の牽引式洗濯挟の咬持部が開口し、牽引式洗濯ばさみの被押圧部は開方向に付勢されているから、手指を緩めれば、第１の連結棒および第２の連結棒の位置が元に戻ることになる。
【００２２】
本願請求項６に係るハンガー式洗濯物干し具は、請求項５に記載のハンガー式洗濯物干し具の１対の可動棒は中間部で分割されていて、それぞれの可動棒は、第３の連結棒で連結されているので、第３の連結棒を左右に引き分ければ、複数の牽引式洗濯ばさみの咬持部を同時に開口させることができる。また、１対の固定棒を中央部から折畳み自在とすることにより、ハンガー式洗濯物干し具自体も折畳み自在とすることができる。
【発明を実施するための最良の形態】
【００２３】
本発明を実施するための最良の形態に係る実施例１ないし実施例３について、図１ないし図５に基づいて説明する。
図１は、実施例１に係る牽引式洗濯ばさみの作動メカニズムの説明図であり、図１（ａ）は、牽引式洗濯ばさみを懸吊した状態を示す図、図１（ｂ）は、牽引式洗濯ばさみの牽引紐を牽引した牽引式洗濯ばさみの状態を示す図である。図２は、実施例２に係るハンガー式洗濯物干し具の斜視図であり、図３は、図２におけるIII―III矢視断面拡大図である。図４は、実施例３に係るハンガー式洗濯物干し具の斜視図であり、図５は、図４におけるＶ―Ｖ矢視断面拡大図である。
【００２４】
図１ないし図５において、符号１は実施例１に係る牽引式洗濯ばさみ、符号２は実施例２に係るハンガー式洗濯物干し具、符号３は実施例３に係るハンガー式洗濯物干し具、符号１０は梃棒、符号１０ａは第１の梃棒、符号１０ｂは第２の梃棒、符号１２はばね、符号１４は咬持部、符号１６は被押圧部、符号１８は牽引紐、符号２０は第１の貫通孔、符号２１は縦引きローラ、符号２２は嵌合端、符号２４は第３の貫通孔、符号２６は捕捉体、符号２８は第２の貫通孔、符号３０は固定棒、符号３２は可動棒、符号３４は第１の連結棒、符号３６は第２の連結棒、符号３８は垂直棒、符号３８ａは第１の垂直棒、符号３８ｂは第２の垂直棒、符号３８ｃは第３の垂直棒、符号４０は上握り棒、符号４２は下握り棒、符号４４はフック、符号４６はつなぎ棒、符号４８は第３の連結棒、符号４９は横引きローラ、符号５０は吊り紐である。
【００２５】
まず、本願発明の実施例１に係る牽引式洗濯ばさみ１について、図１を基に説明する。
【００２６】
牽引式洗濯ばさみ１は、１対の梃棒１０と、ばね１２と、牽引紐１８と、捕捉体２４とから構成されている。１対の梃棒１０は、第１の梃棒１０ａと、第２の梃棒１０ｂとから構成されていて、第１の梃棒１０ａおよび第２の梃棒１０ｂの中心部は互いに枢着されている。第１の梃棒１０ａおよび第２の梃棒１０ｂは、ばね１２で付勢されていて、閉方向に付勢される部分が咬持部１４を形成し、開方向に付勢される部分が被押圧部１６を形成している。実施例におけるばね１２は、リング状となっているが、一例として図示したに過ぎず、コイルばねであっても板ばねであっても良いことは勿論である。
【００２７】
第１の梃棒１０ａの被押圧部１６には、牽引紐１８の一端が固着されていて、第２の梃棒１０ｂのこの固着部分に対応する位置には、第１の貫通孔２０が貫設されている。そして、被押圧部１６を形成する第２の梃棒１０ｂの先端は、嵌合端２２となっていて、この嵌合端２２の形状は、後述する捕捉体２６の開口部分に嵌合するように先端が細くなった円錐台となっている。前述の第１の貫通孔２０は、円錐台状の嵌合端２２の底部近傍に貫設されていて、さらに、嵌合端２２の軸線に沿って、第３の貫通孔２４が貫設されている。そして、第１の貫通孔２０と第３の貫通孔２４との間には、第２の梃棒１０ｂに回動自在に取着された縦引きローラ２１が介挿されている。また、捕捉体２６の内部には、開放端が広くなったラッパ状の穴が穿設されていて、径が小さくなった捕捉体２６の底部には、捕捉体２６の軸線に沿って、第２の貫通孔２８が貫設されている。なお、図１においては、捕捉体２６の外形が円錐台状となっているが、捕捉体２６に穿設された穴がラッパ状であれば良く、外形はさまざまな形状とすることができる。
【００２８】
第１の梃棒１０ａに一端が固着された牽引紐１８の他端は、第１の貫通孔２０を貫通し、縦引きローラ２１によってその方向が変えられて第３の貫通孔２４を貫通し、さらに第２の貫通孔２８を貫通して、牽引式洗濯ばさみ１が構成されている。
【００２９】
つぎに、牽引式洗濯ばさみ１の作用について説明する。捕捉体２６の開放面を下に向けて固定し（図１（ａ））、牽引紐１８を白抜き矢印方向に引っ張ると、嵌合端２２が捕捉体２６に穿設されたラッパ状の穴に嵌合する。嵌合端２２の形状は捕捉体２６の穴と略同一形状となっているので、嵌合端２２は捕捉体２６に確りと固定され、前後左右に振れることはない。さらに、牽引紐１８を引っ張ると、第１の梃棒１０ａの被押圧部１６は、第２の梃棒１０ｂの被押圧部１６方向に引き寄せられて、咬持部１４が開口する（図１（ｂ））。
したがって、図１（ａ）に示す状態で、咬持部１４に咬持されている洗濯物等は、咬持部１４が図１（ｂ）に示す状態となることにより、牽引式洗濯ばさみ１から脱離することになる。なお、第１の貫通孔２０と第３の貫通孔２４の間には縦引きローラ２１が介挿されているので、牽引紐１８の磨耗を防止することができる。
【００３０】
つぎに、実施例２に係るハンガー式洗濯物干し具の構成について説明する。ハンガー式洗濯物干し具２は、複数の牽引式洗濯ばさみ１、１・・・と、固定棒３０と、可動棒３２と、垂直棒３８と、フック４４とから構成されている。
【００３１】
固定棒３０は、平行に配設された２本の固定棒３０ａと固定棒３０ｂとから構成されていて、固定棒３０の下面には複数の捕捉体２６、２６、・・・が等間隔に吊着されている。固定棒３２ａおよび固定棒３２ｂの中間部は第１の連結棒３４で連結され、さらに、固定棒３０ａおよび固定棒３０ｂの両端部同士は、つなぎ棒４６、４６で連結されている。このつなぎ棒４６、４６は、固定棒３０ａ、固定棒３０ｂおよび第１の連結棒３４が形成する平面視がＨ形の形状を保持する役割を担うものであり、固定棒３０ａ、固定棒３０ｂおよび第１の連結棒３４の剛性を高めることにより、Ｈ形の形状を保持することができれば、不要の部材である。
【００３２】
可動棒３２は、固定棒３０の上面に載置された状態に配設されていて、固定棒３２ａの上面には可動棒３２ａが配設され、固定棒３２ｂの上面には可動棒３２ｂが配設されている。そして、固定棒３０と同様に、可動棒３２ａおよび可動棒３２ｂの中間部は第２の連結棒３６で連結されていて、平面視における第２の連結棒３６および第１の連結棒３４は同一位置にある。
【００３３】
固定棒３０には複数の上下に貫通する貫通孔が貫設されていて、この貫通孔の位置は、固定棒３０に吊着されている捕捉体２６、２６、・・・の第２の貫通孔２８の位置に対応している。そして、一端が第１の梃棒１０ａに固着された牽引紐１８の他端が、固定棒３０に貫設された貫通孔を貫通して可動棒３２の下面に固着されることにより、牽引式洗濯ばさみ１、１・・・が懸吊されている。
【００３４】
第１の連結棒３４および第２の連結棒３６の中間部には、垂直棒３８が立設されていて、この垂直棒３８は、内側から順に第１の垂直棒３８ａ、第２の垂直棒３８ｂおよび第３の垂直棒３８ｃからなる３重管となっている。第１の垂直棒３８ａは第１の連結棒３４および第２の連結棒３６を貫通していて、第１の垂直棒３８ａの下端部は第１の連結棒３４に対して回動自在に係止され、上端部にはフック４４が固着されている。第２の垂直棒３８ｂは第１の垂直棒３８ａを囲繞し第１の垂直棒３８ａに対して摺動自在になっていて、下端部は第１の連結棒３４に固着されている。そして、第３の垂直棒３８ｃは第２の垂直棒３８ｂを囲繞し第２の垂直棒３８ｂに対して摺動自在になっていて、下端部は第２の連結棒３６に固着されている。
【００３５】
第２の垂直棒３８ｂの上端部には、水平方向に２本の上握り棒４０、４０が第２の垂直棒３８ｂを中心とした対称の位置に固着されている。さらに、第３の垂直棒３８ｃの上端部には、水平方向に２本の下握り棒４２、４２が第３の垂直棒３８ｃを中心とした対称の位置に固着されている。そして、平面視における上握り棒４０、４０と下握り棒４２、４２とは同一位置となっていて、下握り棒４２、４２は上握り棒４０、４０に対して、所定の離間距離をもって下方に位置している。
【００３６】
つぎに、実施例２に係るハンガー式洗濯物干し具２の作用について説明する。
【００３７】
牽引式洗濯ばさみ１の被押圧部１６を手指でもって押圧し、咬持部１４を開口して、洗濯物を牽引式洗濯ばさみ１に咬持させる。すべての洗濯物を、牽引式洗濯ばさみ１、１、・・・を介してハンガー式洗濯物干し具２に懸吊した後、ハンガー式洗濯物干し具２のフック４４を干し竿や干し紐に掛けて、洗濯物を干す。干している最中の洗濯物は風を受けて前後左右に揺れるが、牽引式洗濯ばさみ１、１、・・・は、ハンガー式洗濯物干し具２から牽引紐１８を介して懸吊されているため、洗濯物の動きに合わせて自由に動くことができる。そのため、牽引式洗濯ばさみ１には無理な力が働かず、損傷しにくい。
【００３８】
干し終えた洗濯物は、ハンガー式洗濯物干し具２ごと干し竿や干し紐から取り外す。第２の垂直棒３８ｂを中心にして左右の水平方向に突き出している２本の上握り棒４０、４０のそれぞれに左右両手の親指の付け根を当接させ、第３の垂直棒３８ｃを中心にして左右の水平方向に突き出している２本の下握り棒４２、４２に残りの指をあてがって把持すると、上握り棒４０と下握り棒４２との相対距離が縮まる。上握り棒４０と下握り棒４２との相対距離が縮まると、固定棒３０と可動棒３２とは相対的に上下方向に離間し、可動棒３２に固着された牽引紐１８が牽引されて、牽引式洗濯ばさみ１、１、・・・の咬持部１４が開口する。そして、咬持部１４が開口することによって、洗濯物は自重で落下する。すべての洗濯物が落下した後に、上握り棒４０と下握り棒４２とを把持している力を緩めると、可動棒３２が固定棒３０に近接し、その結果、牽引式洗濯ばさみ１、１、・・・の咬持部１４が閉口する。
【００３９】
つぎに、実施例３に係るハンガー式洗濯物干し具の構成について説明する。ハンガー式洗濯物干し具２は、牽引式洗濯ばさみ１、１・・・と、固定棒３０と、可動棒３２と、フック４４と、つなぎ棒４６と、第３の連結棒４８と、吊り紐５０とから構成されている。
【００４０】
固定棒３０は、ハンガー式洗濯物干し具１と同様に、平行に配設された２本の固定棒３０ａと固定棒３０ｂとからなっていて、固定棒３０の下面には複数の捕捉体２６、２６、・・・が等間隔に吊着されている。固定棒３２ａおよび固定棒３２ｂの両端部同士は、つなぎ棒４６、４６で連結されていて、２本の固定棒３０と２本のつなぎ棒４６により枠体が形成されている。このつなぎ棒４６は、固定棒３０ａ、固定棒３０ｂを所定の間隔をもって保持するとともに、２本の固定棒３０と２本のつなぎ棒４６が形成する枠体の剛性を高める役割を担っている。
【００４１】
可動棒３２は、固定棒３０に嵌合して固定棒３０上を水平方向に摺動するように構成され、さらに２分割されて固定棒３０に対して、図４の白抜き矢印に示すように左右に引き分けられるようになっている。すなわち、固定棒３０ａ上には、可動棒３２ａが２分割されて可動棒３２ａ１および可動棒３２ａ２が嵌合し、同様に、固定棒３０ｂ上には、可動棒３２ｂ１および可動棒３２ｂ２が嵌合している。さらに、可動棒３２ａ１と可動棒３２ｂ１、および可動棒３２ａ２と可動棒３２ｂ２は、それぞれが第３の連結棒４８ａおよび第３の連結棒４８ｂで連結されていて、一体化されている。
【００４２】
そして、ハンガー式洗濯物干し具１と同様に、固定棒３０には複数の上下に貫通する貫通孔が貫設されている。この貫通孔の位置は、固定棒３０に吊着されている捕捉体２６、２６、・・・の第３の貫通孔２８の位置に対応し、一端が第１の梃棒１０ａに固着された牽引紐１８の他端が固定棒３０に貫設された貫通孔を貫通して可動棒３２の下面に固着されることにより、牽引式洗濯ばさみ１、１・・・が懸吊されている。さらに、固定棒３０に貫設された貫通孔上部の脇には、横引きローラ４９が固定棒３０に回動自在に添設されていて、この横引きローラ４９によって、固定棒３０に貫設された貫通孔を貫通した牽引紐１８は、牽引される方向が垂直方向から水平方向へと摩擦を生ずることなしに変えられる。
【００４３】
また、２本の固定棒３０と２本のつなぎ棒４６により形成される枠体の四隅には、吊り紐５０、５０、・・の一端が固着され、吊り紐５０、５０、・・の他端はフック４４の基端部に固着されている。
【００４４】
つぎに、実施例３に係るハンガー式洗濯物干し具３の作用について説明する。なお、ハンガー式洗濯物干し具３を使用して洗濯物を干すまでの作用は、ハンガー式洗濯物干し具２の作用と同様であるので、その説明を省略する。
【００４５】
干し終えた洗濯物は、ハンガー式洗濯物干し具３ごと干し竿や干し紐から取り外す。その後、第３の連結棒４８ａおよび第３の連結棒４８ｂを、両手に持って図４の白抜き矢印に示すように左右に引き分けると、可動棒３２は固定棒３０に対して摺動することにより、相対的に水平方向に離間し、可動棒３２に固着された牽引紐１８が牽引されて、牽引式洗濯ばさみ１、１、・・・の咬持部１４が開口する。そして、咬持部１４が開口することによって、洗濯物は自重で落下する。すべての洗濯物が落下した後に、第３の連結棒４８ａと第３の連結棒４８ｂとを引き分けている力を緩めると、固定棒３０に対して可動棒３２が摺動して水平方向に近接し、その結果、牽引式洗濯ばさみ１、１、・・・の咬持部１４が閉口する。なお、固定棒３０に貫設された貫通孔の脇に添設された横引きローラ４９により、牽引紐１８の磨耗を防止することができる
【図面の簡単な説明】
【００４６】
【図１】図１は、実施例１に係る牽引式洗濯ばさみの作動メカニズムの説明図であり、図１（ａ）は、牽引式洗濯ばさみを懸吊した状態を示す図、図１（ｂ）は、牽引式洗濯ばさみの牽引紐を牽引した牽引式洗濯ばさみの状態を示す図である。
【図２】図２は、実施例２に係るハンガー式洗濯物干し具の斜視図である。
【図３】図３は、図２におけるIII―III矢視断面拡大図である。
【図４】図４は、実施例３に係るハンガー式洗濯物干し具の斜視図である。
【図５】図５は、図４におけるＶ―Ｖ矢視断面拡大図である。
【図６】図６（ａ）は、実開昭６２−１１２５９５号公報に開示の実施例に係る洗濯物干し器の平面図、同図６（ｂ）は、図６（ａ）におけるＢ−Ｂ断面図である。
【図７】図７は、実開平４−４４８９４号公報に開示の実施例に係る洗濯物乾燥用ハンガーの斜視図である。
【図８】図８（ａ）は、特開平７−２５５９９５号公報に開示の実施例に係るハンガー式洗濯物干し具の斜視図、同図８（ｂ）は、ハンガー式洗濯物干し具に使用される洗濯ばさみの分解構成図である。
【図９】図９は、実用新案登録第３１０５１４８号公報に開示の「固着式ワンタッチ物干しハンガー」に使用される洗濯ばさみの斜視図である。
【符号の説明】
【００４７】
１  実施例１に係る牽引式洗濯ばさみ
２  実施例２に係るハンガー式洗濯物干し具
３  実施例３に係るハンガー式洗濯物干し具
１０  梃棒
１２  ばね
１４  咬持部
１６  被押圧部
１８  牽引紐
２０  第１の貫通孔
２２  嵌合端
２４  第３の貫通孔
２６  捕捉体
２８  第２の貫通孔
３０  固定棒
３２  可動棒
３４  第１の連結棒
３６  第２の連結棒
３８  垂直棒
４４  フック
４８  第３の連結棒
【図１】
2006340947.tif 000003
【図２】
2006340947.tif 000004
【図３】
2006340947.tif 000005
【図４】
2006340947.tif 000006
【図５】
2006340947.tif 000007
【図６】
2006340947.tif 000008
【図７】
2006340947.tif 000009
【図８】
2006340947.tif 000010
【図９】
2006340947.tif 000011